(57)【特許請求の範囲】
【請求項１】
複数に分割した分割支柱を接続して所定の高さとし、上端部に通信用アンテナを装着するアンテナ用支柱において、
略円筒状の前記複数の分割支柱のそれぞれは、
該分割支柱の接続部となる一方の支柱端部において、前記一方の支柱端部を覆うように回転可能に設けられる締付けナットと、前記一方の支柱端部の外周面に先端側の外径が順次小さくなるように形成される第１のテーパ部と、前記一方の支柱端部に内装される第１のコネクタと、が設けられ、
前記接続部となる他方の支柱端部において、前記他方の支柱端部の外周面に設けられ、前記締付けナットに螺合される支柱接続用の雄ネジ部と、前記他方の支柱端部の内周面に形成され、前記一方の支柱端部に設けられた前記第１のテーパ部と結合する第２のテーパ部と、前記他方の支柱端部に内装されて前記第１のコネクタに接続される第２のコネクタと、が設けられて、前記第１及び第２のコネクタとを電気的に接続する同軸ケーブルを内部に具備し、
前記複数の分割支柱を接続する際は、前記一方の支柱端部に設けられた締付けナットを、相手側支柱の前記他方の支柱端部の外周面に設けられた雄ネジ部に螺着させて締め付け、前記第１のテーパ部と前記第２のテーパ部とを結合させて前記各分割支柱間を接続すると共に前記第１のコネクタと前記第２のコネクタとを接続することを特徴とするアンテナ用支柱。
【請求項２】
前記アンテナ用支柱は、３以上の分割支柱に分割され、
前記第１のコネクタと第２のコネクタは、それぞれバヨネット型のジャック及びプラグであり、
前記分割支柱のそれぞれは、前記接続部となる一方の支柱端部において、ゴムブーツを備え、
前記複数の分割支柱を接続する際は、それぞれの分割支柱において、前記一方の支柱端部が下端、前記相手側支柱の前記他方の支柱端部が上端となり、接続完了後にゴムブーツをスライドさせ前記接続部に被せることを特徴とする請求項１記載の前記アンテナ用支柱。
【発明の詳細な説明】
【技術分野】
【０００１】
本発明は、可搬形アンテナの開設及び撤収を容易とするアンテナ用支柱に関する。
【背景技術】
【０００２】
従来、屋外にて通信用可搬形アンテナを地上よりある程度高い所に設置する場合、所定長さの支柱を使用してアンテナを取付けているが、支柱の長さがあまり長いと持ち運びが容易でないため、支柱を２分割や３分割など複数本に分割し、各分割支柱の長さを１．２ｍ程度に短くして容易に持ち運べるようにしている。そして、アンテナを実際に設置する場所において、分割支柱を複数本つなぎ合わせ、必要とする高さにアンテナを設置する。
【０００３】
図１０は従来のアンテナ用支柱にアンテナを取付けて大地上に設置した状態を示したもので、（ａ）は側面図、（ｂ）は平面図である。図１０に示すようにアンテナ用支柱１は、複数例えば３分割した分割支柱１ａ〜１ｃをつなぎ合わせて必要とする高さとなるように構成し、下端部に底板２を取付けて大地３上に垂直に設置する。上記分割支柱１ａ〜１ｃは、円筒状の金属製パイプを用いて構成したもので、その接続に際しては、支柱接続部における一方の径を細くして他方の支柱に差し込むなどの方法により連結している。
【０００４】
図１１は上記分割支柱１ａ〜１ｃの構成を示したもので、（ａ）は側面図、（ｂ）は下面図である。分割支柱１ａ〜１ｃの上端部には、外径を細く形成した支柱接続部４が設けられ、上側の分割支柱の下端部に挿入できるようになっている。また、支柱接続部４には、上端部に１８０°の間隔で２つの切込み５が設けられる。更に、分割支柱１ａ〜１ｃの下部内側には、下端部から所定距離上方の部位に２つの回り止め用突起６が１８０°の間隔で設けられる。各分割支柱１ａ〜１ｃをつなぎ合わせた際に支柱接続部４に設けた切込み５部分に相手側支柱に設けられた回り止め用突起６が位置し、各分割支柱１ａ〜１ｃの相互の位置が固定される。なお、最上段の分割支柱１ａには支柱接続部４を設けなくてもよい。
【０００５】
そして、図１０に示すようにアンテナ用支柱１の上端部には、円形の支持板７が設けられ、この支持板７に複数例えば３本の張り綱８ａ〜８ｃが等角度で取付けられる。この張り綱８ａ〜８ｃの下端部は、杭９により大地３に固定される。そして、アンテナ用支柱１の上端部、すなわち支持板７の上側に通信用可搬形アンテナ１０が取付けられる。
【０００６】
上記アンテナ１０の給電部には、図示しないが給電用同軸ケーブルが接続される。この同軸ケーブルは、アンテナ用支柱１の外側に沿って設けられ、要所にて支柱１に固定される。
【０００７】
また、本発明に関連する公知技術として、中波帯及び短波帯に使用されるコニカルモノポールアンテナにおいて、支柱長さを使用周波数の１／２０波長程度に短くし、ローディング素子、ローディングコイル及び整合器等を付加することにより、水平ステーを不要にして軽量化を図り、開設、撤収が容易に行えるようにした可搬用広帯域アンテナ装置が知られている（例えば、特許文献１参照。）。
【先行技術文献】
【特許文献】
【０００８】
【特許文献１】実開平５−３６９１６号公報
【発明の概要】
【発明が解決しようとする課題】
【０００９】
上記のように屋外にて通信用可搬形アンテナ１０をアンテナ用支柱１に取付ける場合、分割支柱１ａ〜１ｃをつなぎ合わせてアンテナ取付け位置が所定の高さとなるようにしている。上記分割支柱１ａ〜１ｃを接続する際、従来では単に支柱接続部４の外径を細くして上側に位置する分割支柱に差し込むだけであるので、接続部分の強度が充分ではなく、アンテナ用支柱１を垂直に保持するためには、支持板７に張り綱８ａ〜８ｃを取付けて地上に強く引っ張る等の支柱保持手段が必要であり、支柱の設置が容易でなく、その設置に多くの作業時間を必要としている。
【００１０】
また、アンテナ用支柱１の途中で給電用同軸ケーブルを接続する場合は、同軸接栓を例えばＮ型やＢＮＣ型のプラグとジャックにて接続し、その接続部分にゴムテープとビニールテープを巻き付けて防水処理を施す必要があり、その処理が非常に面倒である。また、同軸ケーブルが長くなるため、ケーブルが捩れたりしてその取扱いも容易ではない。更に、夜間や雨天の場合は同軸ケーブルの接続部分が見えにくく、特に雨天の場合は接続部分に雨が掛からないように注意する必要があり、防水のためのテーピング作業も容易ではない。
【００１１】
本発明は上記の課題を解決するためになされたもので、どのような屋外での設置場所においても、また、夜間や雨天の場合においても短時間で容易に設置でき、給電用同軸ケーブルの接続も支柱接続と同時に確実に接続でき、テーピングなどの防水処理を施す必要が無く取扱いが非常に容易なアンテナ用支柱を提供することを目的とする。
【課題を解決するための手段】
【００１２】
第１の発明は、複数に分割した分割支柱を接続して所定の高さとし、上端部に通信用アンテナを装着するアンテナ用支柱において、略円筒状の前記複数の分割支柱のそれぞれは、該分割支柱の接続部となる一方の支柱端部において、前記一方の支柱端部を覆うように回転可能に設けられる締付けナットと、前記一方の支柱端部の外周面に先端側の外径が順次小さくなるように形成される第１のテーパ部と、前記一方の支柱端部に内装される第１のコネクタと、が設けられ、前記接続部となる他方の支柱端部において、前記他方の支柱端部の外周面に設けられ、前記締付けナットに螺合される支柱接続用の雄ネジ部と、前記他方の支柱端部の内周面に形成され、前記一方の支柱端部に設けられた前記第１のテーパ部と結合する第２のテーパ部と、前記他方の支柱端部に内装されて前記第１のコネクタに接続される第２のコネクタと、が設けられて、前記第１及び第２のコネクタとを電気的に接続する同軸ケーブルを内部に具備し、前記複数の分割支柱を接続する際は、前記一方の支柱端部に設けられた締付けナットを、相手側支柱の前記他方の支柱端部の外周面に設けられた雄ネジ部に螺着させて締め付け、前記第１のテーパ部と前記第２のテーパ部とを結合させて前記各分割支柱間を接続すると共に前記第１のコネクタと前記第２のコネクタとを接続することを特徴とする。
第２の発明は、前記アンテナ用支柱は、３以上の分割支柱に分割され、前記第１のコネクタと第２のコネクタは、それぞれバヨネット型のジャック及びプラグであり、前記分割支柱のそれぞれは、前記接続部となる一方の支柱端部において、ゴムブーツを備え、前記複数の分割支柱を接続する際は、それぞれの分割支柱において、前記一方の支柱端部が下端、前記相手側支柱の前記他方の支柱端部が上端となり、接続完了後にゴムブーツをスライドさせ前記接続部に被せることを特徴とする。
【発明の効果】
【００１３】
本発明によれば、各分割支柱の接続部の位置を合わせて締付けナットを締付けるだけできわめて容易にアンテナ用支柱を組み立てることができ、昼夜を問わず、天候に左右されることなく、非常に短時間でアンテナ用支柱を設置でき、また、その解体もきわめて容易に行うことができる。
【００１４】
また、各分割支柱の接続部に同軸ケーブル接続用コネクタを内装しているので、支柱の組立と同時に給電用同軸ケーブルを接続することができる。従って、アンテナ用支柱の外側に沿って給電用同軸ケーブルを設ける必要が無いと共に、同軸ケーブルの接続部分にテープを巻き付けて防水処理を施す必要も無い。更に、夜間や雨天の場合などで同軸ケーブルの接続部分が見えにくい場合であっても、同軸ケーブルの接続をきわめて容易に且つ確実に行うことができる。また、支柱の接続部分の強度が大きいので、アンテナ用支柱が余り高くない場合には、張り綱を取付けることなくアンテナ用支柱を確実に保持することができる。
【図面の簡単な説明】
【００１５】
【図１】本発明の実施例１に係るアンテナ用支柱にアンテナを取付けて大地上に設置した状態を示す側面図である。
【図２】同実施例１に係るアンテナ用支柱において、２つの分割支柱間を接続した状態を一部断面して示す側面図である。
【図３】同実施例１における分割支柱の下部接続部の構成を示したもので、（ａ）は一部を断面して示す側面図、（ｂ）は下面図である。
【図４】図３における分割支柱の下端部分の構成を示したもので、（ａ）は一部を断面して示す側面図、（ｂ）は下面図である。
【図５】図３における締付けナットの構成を示したもので、（ａ）は一部を断面して示す側面図、（ｂ）は下面図である。
【図６】図３におけるジャック側コネクタの構成を示したもので、（ａ）は一部を断面して示す側面図、（ｂ）は下面図である。
【図７】同実施例１における分割支柱の上部接続部の構成を示したもので、（ａ）は一部を断面して示す側面図、（ｂ）は上面図である。
【図８】図７における分割支柱の上端部分の構成を示したもので、（ａ）は一部を断面して示す側面図、（ｂ）は上面図である。
【図９】図７におけるプラグ側コネクタを一部断面して示す側面図である。
【図１０】従来のアンテナ用支柱にアンテナを取付けて大地上に設置した状態を示したもので、（ａ）は側面図、（ｂ）は平面図である。
【図１１】図１０における各分割支柱の構成を示したもので、（ａ）は側面図、（ｂ）は下面図である。
【発明を実施するための形態】
【００１６】
以下、本発明の実施の形態について図面を参照して詳細に説明する。
【実施例１】
【００１７】
図１は本発明の実施例１に係るアンテナ用支柱にアンテナを取付けて大地上に設置した状態を示したもので、（ａ）は側面図、（ｂ）は平面図である。
【００１８】
図１に示すようにアンテナ用支柱１１は、複数例えば３分割した分割支柱１２ａ〜１２ｃをつなぎ合わせて必要とする高さとなるように構成し、下端部に底板１３を取付けて大地１４上に垂直に設置する。上記底板１３は、杭（図示せず）により大地１４に固定される。上記分割支柱１２ａ〜１２ｃは、円筒状の金属製パイプを用いて構成したもので、各支柱接続部に詳細を後述する接続機構及びケーブル接続用コネクタを備えている。上記分割支柱１２ａ〜１２ｃの接続部には、接続完了後にゴムブーツ１５ａ、１５ｂが被せられる。
【００１９】
また、最上部に位置する分割支柱１２ａの上端開口部には、防水部材例えば防水ゴムキャップ１６が装着される。分割支柱１２ａの内部には予め給電用同軸ケーブル１７ａが挿入されており、この同軸ケーブル１７ａの上端部が防水ゴムキャップ１６の中心部に設けられた挿通孔から外部に導出される。この給電用同軸ケーブル１７ａの支柱からの導出された先端部には、同軸接栓１８が設けられる。そして、上記アンテナ用支柱１１の上端部には、取付金具２０により通信用可搬形アンテナ２１が取付けられる。通信用可搬形アンテナ２１としては、例えば３素子八木式アンテナ等、任意の可搬形アンテナが使用される。アンテナ２１には、給電部に同軸ケーブル２２が接続され、その先端に同軸接栓２３が設けられる。図１に示すようにアンテナと給電用同軸ケーブルは同軸接栓１８と同軸接栓２３によりアンテナ用支柱の上部で電気的に接続される。なお、図１に図示しないが上記アンテナ用支柱の接続部で使用するゴムブーツのようなものを上記同軸接栓１８と同軸接栓２３の接続部に被せて防水機能を持たせる。
【００２０】
給電用同軸ケーブルは、詳細を後述するようにそれぞれ分割支柱１２ａ〜１２ｃ内に分割して設けられており、分割支柱１２ａ〜１２ｃをつなぎ合わせる際にコネクタ（接栓）により接続される。
【００２１】
次に、上記分割支柱１２ａ〜１２ｃの接続部の構成について説明する。
【００２２】
図２は分割支柱１２ａ、１２ｂ間を接続した状態を一部断面して示す側面図である。図３は分割支柱１２ａの下部接続部の構成を示したもので、（ａ）は一部を断面して示す側面図、（ｂ）は下面図である。図４は分割支柱１２ａの下端部分の構成を示したもので、（ａ）は一部を断面して示す側面図、（ｂ）は下面図である。図５は、分割支柱１２ａの下端部外側に装着される支柱締付けナット３１の構成を示したもので、（ａ）は一部を断面して示す側面図、（ｂ）は下面図である。図６は分割支柱１２ａの下端部内側に装着される接栓の構成を示したもので、（ａ）は一部を断面して示す側面図、（ｂ）は下面図である。
【００２３】
図７は分割支柱１２ｂの上部接続部の構成を示したもので、（ａ）は一部を断面して示す側面図、（ｂ）上面図である。図８は分割支柱１２ｂの上端部分の構成を示したもので、（ａ）は一部を断面して示す側面図、（ｂ）は上面図である。図９は分割支柱１２ｂの上部接続部に設けられるプラグ側コネクタを一部断面して示す側面図である。なお、図２ないし図９は、分割支柱１２ａ、１２ｂ間における接続部の構成について示したが、分割支柱１２ｂ、１２ｃ間の接続部においても同様の構成であるので詳細な説明は省略する。
【００２４】
図２及び図３に示すように、分割支柱１２ａの下端部外側に支柱締付けナット３１が回転可能に設けられる。この場合、支柱締付けナット３１が分割支柱１２ａから外れないように、分割支柱１２ａと支柱締付けナット３１との間にＣ形止め輪３２が設けられる。すなわち、図４及び図５に示すように、支柱締付けナット３１には上端部近傍の内側周面に沿って止め輪用溝３３ａが設けられると共に、分割支柱１２ａの下端から所定高さの外周面に止め輪用溝３３ｂ設けられる。そして、上記止め輪用溝３３ａ、３３ｂにＣ形止め輪３２を介在することにより、支柱締付けナット３１が回転可能で且つ分割支柱１２ａから外れないようにしている。
【００２５】
上記支柱締付けナット３１は、図５に示すように内側上部に小径部２５、内側下部に大径部２６が設けられる。支柱締付けナット３１は、小径部２５が分割支柱１２ａに装着されるもので、小径部２５の内径がアンテナ用支柱１１の直径よりやや大きく形成され、分割支柱１２ａに対して回転可能となっている。上記支柱締付けナット３１の小径部２５に止め輪用溝３３ａが設けられる。
【００２６】
また、支柱締付けナット３１には、大径部２６の内周面に分割支柱１２ｂを取付けるためのネジ溝３５が設けられると共に、外周面にローレット加工３６が施されている。
【００２７】
また、分割支柱１２ａには、下端部内周面にコネクタ装着用ネジ溝３８が形成されると共に、下端部外周面に所定の長さ例えば約２０ｍｍの長さのテーパ部３９が設けられる。このテーパ部３９は、支柱締付けナット３１の大径部２６内に位置するように設けられ、分割支柱１２ａの下部先端側の外径が順次小さくなるように形成される。
【００２８】
上記分割支柱１２ａの下端部内周面に設けたコネクタ装着用ネジ溝３８には、図２及び図３に示すようにジャック側コネクタ４０が螺着される。このジャック側コネクタ４０は、図６に詳細を示すように円筒状のコネクタ本体４１の外周面にネジ部４２が形成され、このネジ部４２が分割支柱１２ａに設けられたコネクタ装着用ネジ溝３８に螺着される。そして、コネクタ本体４１の下部先端側に円状の取付部４３を介して円筒状の外導体４４が設けられると共に、その中心部に円筒状の中心導体４５が同心円状に設けられる。この中心導体４５の外周面には、円筒状の絶縁体４６が設けられる。
【００２９】
上記外導体４４には、先端近傍の外側に２つの突起４７ａ、４７ｂが１８０°の間隔で設けられる。この突起４７ａ、４７ｂは、詳細を後述するように図７（ａ）に示すプラグ側コネクタ５８と接続する際、プラグ側コネクタ５８の円筒状シェル５９の内周面に摺接するように設けられる。また、上記取付部４３の外周縁には、２つのスパナ掛け４８ａ、４８ｂが１８０°の間隔で設けられる。そして、ジャック側コネクタ４０の上端側に同軸ケーブル１７ａが接続される。この最上段の分割支柱１２ａに設けられる同軸ケーブル１７ａの上端部は、図１に示したように分割支柱１２ａの上端部から外部に導出され、その先端に同軸接栓１８が装着される。
【００３０】
上記のように構成された分割支柱１２ａの下部接続部には、図７に示す分割支柱１２ｂの上部接続部が接続される。分割支柱１２ｂは、図２に示すように上部接続部を構成する上端部側の直径Ｄａが下側部の直径、すなわち分割支柱１２ａ、１２ｂの下部接続部の直径Ｄｂより例えば５ｍｍ程度大きく形成され、分割支柱１２ｂの上端内側に分割支柱１２ａの下端部を挿入できるようにしている。なお、最上段に位置する分割支柱１２ａは、上端にアンテナ２１が取付けられるので、上端側の直径を大きく形成しなくてもよい。
【００３１】
上記分割支柱１２ｂには、上端部外周面に支柱接続用の雄ネジ部５１が形成されると共に、上端部内周面に所定の長さ例えば約２０ｍｍの長さのテーパ部５２が設けられる。このテーパ部５２は、分割支柱１２ａに設けられたテーパ部３９に対応しており、分割支柱１２ｂの上部先端側の内径が順次大きくなるように形成される。上記テーパ部５２は、分割支柱１２ａに設けられたテーパ部３９に対応しており、分割支柱１２ａ、１２ｂの接続時に、分割支柱１２ａの下端部が分割支柱１２ｂの上端内側に挿入され、テーパ部３９、５２間が接触して結合されるようになっている。
【００３２】
また、分割支柱１２ｂには、上端より所定長さ下方位置の外周面に例えば２つのセットネジ用ネジ穴５３が例えば約１３５°の間隔で設けられると共に、該セットネジ用ネジ穴５３より更に例えば８ｍｍ程度下方位置に例えば２つの位置決め用ネジ穴５４が１８０°の間隔で設けられる。上記とセットネジ用ネジ穴５３と位置決め用ネジ穴５４の位置関係は無く、任意に設定することができる。上記セットネジ用ネジ穴５３にはセットネジ５５が螺着され、位置決め用ネジ穴５４には、位置決め用ネジ５６が螺着される。
【００３３】
そして、上記分割支柱１２ｂ内には、分割支柱１２ａに設けられたジャック側コネクタ４０と接続されるプラグ側コネクタ５８が装着される。このプラグ側コネクタ５８は、円筒状シェル５９の内部に円筒状の外導体６０が同心円状に設けられると共に該外導体６０の内側に沿って絶縁体６１が設けられ、更に、その中心部に棒状の中心導体６２が設けられる。上記外導体６０には、複数のすり割りが設けられている。上記円筒状シェル５９の下端部側に同軸ケーブル１７ｂが装着され、この同軸ケーブル１７ｂの外導体及び中心導体が円筒状シェル５９内にて上記プラグ側コネクタ５８の外導体６０及び中心導体６２にそれぞれ接続される。
【００３４】
上記円筒状シェル５９は、外側面中央部が上下両端部より小径に形成されており、この小径部６３に上記セットネジ５５が圧接して分割支柱１２ｂ内に固定される。また、円筒状シェル５９は、下端部が位置決め用ネジ５６の先端側部に当接することにより、上下方向の位置が決定される。この場合、円筒状シェル５９は、上端の位置がテーパ部５２の下端位置より例えば４ｍｍ程度下方に位置するように設定される。
【００３５】
上記分割支柱１２ｂの上端部内側にプラグ側コネクタ５８を装着する場合、セットネジ５５を緩めた状態で分割支柱１２ｂの上端開口部からプラグ側コネクタ５８を挿入し、該コネクタ５８の下部先端を位置決め用ネジ５６に当接させる。この状態でセットネジ５５を締付け、その先端を円筒状シェル５９の小径部６３に圧接してプラグ側コネクタ５８の位置を固定する。
【００３６】
上記のように構成されたアンテナ用支柱１１を組み立てる場合、先ず分割支柱１２ａの下部接続部と分割支柱１２ｂの上部接続部を接続する。この場合、分割支柱１２ａの下部に設けたテーパ部３９を分割支柱１２ｂの上端部に設けたテーパ部５２の内側に位置させると共に、分割支柱１２ｂの上端外側に設けた支柱接続用の雄ネジ部５１の先端を分割支柱１２ａに下部接続部に設けた支柱締付けナット３１の下部開口部に当接させる。そして、支柱締付けナット３１を分割支柱１２ｂに設けた雄ネジ部５１に螺合させて締付ける。この支柱締付けナット３１の締付けに伴って分割支柱１２ａ側のテーパ部３９が分割支柱１２ｂ側のテーパ部５２の内側に沿ってスライドし、分割支柱１２ａ、１２ｂ間が確実に結合する。また、同時に分割支柱１２ｂの上部接続部に設けたプラグ側コネクタ５８が分割支柱１２ａの下部接続部に設けたジャック側コネクタ４０に圧入され、両者が電気的に接続される。すなわち、プラグ側コネクタ５８の中心導体６２がジャック側コネクタ４０の円筒状中心導体４５内に圧入されると共に、プラグ側コネクタ５８の外導体６０がジャック側コネクタ４０の外導体４４内に圧入されて両者が電気的に接続される。また、ジャック側コネクタ４０の外導体４４の外側に設けた突起４７ａ、４７ｂがプラグ側コネクタ５８の円筒状シェル５９内側に摺接しながら挿入され、ジャック側コネクタ４０の外導体４４とプラグ側コネクタ５８の円筒状シェル５９との間が電気的に接続される。上記分割支柱１２ａ、１２ｂ間の接続完了後、図１、図２に示すように予め支柱１２ａに挿入してあるゴムブーツ１５ａをスライドさせ、接続部に被せて防水機能を持たせる。
【００３７】
また、分割支柱１２ｂの下部接続部と分割支柱１２ｃの上部接続部との間も、上記分割支柱１２ａ、１２ｂ間を接続する場合と同様にして接続し、接続部にゴムブーツ１５ｂを被せる。
【００３８】
そして、上記分割支柱１２ａ〜１２ｃを結合したアンテナ用支柱１１の上端に図１に示したように取付金具２０により通信用可搬形アンテナ２１を取付ける。また、大地１４の所定位置に底板１３を杭により固定し、該底板１３にアンテナ用支柱１１を取付ける。
【００３９】
上記アンテナ用支柱１１を解体する場合は、支柱接続部からゴムブーツ１５ａ、１５ｂをずらして支柱締付けナット３１を緩めることにより、テーパ部３９、５２間が外れ、同時にジャック側コネクタ４０とプラグ側コネクタ５８間が外れる。このように支柱締付けナット３１を緩めるだけで、アンテナ用支柱１１を容易に且つ短時間で解体することができる。
【００４０】
上記実施例１に示したように、各分割支柱１２ａ〜１２ｃの接続部の位置を合わせて支柱締付けナット３１を締付けるだけできわめて容易にアンテナ用支柱１１を組み立てることができ、昼夜を問わず、天候に左右されることなく、非常に短時間でアンテナ用支柱を設置でき、また、その解体もきわめて容易に行うことができる。
【００４１】
また、分割支柱１２ａ〜１２ｃの接続部に同軸ケーブル接続用コネクタを内装しているので、分割支柱１２ａ〜１２ｃの組立と同時に給電用同軸ケーブル１７ａ、１７ｂ、…を接続することができる。従って、アンテナ用支柱１１の外側に沿って給電用同軸ケーブルを設ける必要が無いと共に、同軸ケーブルの接続部分にテープを巻き付けて防水処理を施す必要も無い。更に、夜間や雨天の場合などで同軸ケーブルの接続部分が見えにくい場合であっても、同軸ケーブルの接続をきわめて容易に且つ確実に行うことができる。また、分割支柱１２ａ〜１２ｃの接続部分の強度が大きいので、アンテナ用支柱１１が余り高くない場合には、張り綱を取付けることなくアンテナ用支柱を確実に保持することができる。
【００４２】
なお、本発明は、上記実施の形態そのままに限定されるものではなく、実施段階ではその要旨を逸脱しない範囲で構成要素を変形して具体化できるものである。
【符号の説明】
【００４３】
１１…アンテナ用支柱、１２ａ、１２ｂ、１２ｃ…分割支柱、１３…底板、１４…大地、１５ａ、１５ｂ…ゴムブーツ、１６…防水ゴムキャップ、１７ａ、１７ｂ…給電用同軸ケーブル、１８…同軸接栓、２０…取付金具、２１…通信用可搬形アンテナ、２２…同軸ケーブル、２３…同軸接栓、２５…ナットの小径部、２６…ナットの大径部、３１…支柱締付けナット、３２…Ｃ形止め輪、３３ａ、３３ｂ…止め輪用溝、３５…ネジ溝、３６…ローレット加工、３８…コネクタ装着用ネジ溝、３９…支柱のテーパ部、４０…ジャック側コネクタ、４１…ジャック側コネクタのコネクタ本体、４２…ジャック側コネクタのネジ部、４３…ジャック側コネクタの取付部、４４…ジャック側コネクタの外導体、４５…ジャック側コネクタの中心導体、４６…ジャック側コネクタの絶縁体、４７ａ、４７ｂ…ジャック側コネクタの突起、４８ａ、４８ｂ…スパナ掛け、５１…支柱接続用の雄ネジ部、５２…支柱のテーパ部、５３…セットネジ用ネジ穴、５４…位置決め用ネジ穴、５５…セットネジ、５６…位置決め用ネジ、５８…プラグ側コネクタ、５９…プラグ側コネクタの円筒状シェル、６０…プラグ側コネクタの外導体、６１…プラグ側コネクタの絶縁体、６２…プラグ側コネクタの中心導体、６３…プラグ側コネクタの小径部。
【図１】
0005388741.tif 000002
【図２】
0005388741.tif 000003
【図３】
0005388741.tif 000004
【図４】
0005388741.tif 000005
【図５】
0005388741.tif 000006
【図６】
0005388741.tif 000007
【図７】
0005388741.tif 000008
【図８】
0005388741.tif 000009
【図９】
0005388741.tif 000010
【図１０】
0005388741.tif 000011
【図１１】
0005388741.tif 000012